(57)【要約】【課題】外部補強構法により設けた耐震補強部材によって建物の外観が損なわれることのない建物の耐震補強構造を提供する。【解決手段】建物の耐震補強構造において、建物１の外側に設けられ、建物１の強度を確保する建物１の構造部材と連結されることにより建物１を補強する耐震補強部材２と、耐震補強部材２に配設され、植物が誘引または植栽される緑化用補助資材とを備える。【選択図】        図１
2006299672.tif 000002
【特許請求の範囲】
【請求項１】
建物の外側に設けられ、前記建物の強度を確保する前記建物の構造部材と連結されることにより前記建物を補強する耐震補強部材と、
前記耐震補強部材に配設され、植物が誘引または植栽される緑化用補助資材と
を備えたことを特徴とする建物の耐震補強構造。
【発明の詳細な説明】
【技術分野】
【０００１】
本発明は、建物の外側に設けた耐震補強部材を用いて建物を補強するための建物の耐震補強構造に関するものである。
【背景技術】
【０００２】
近年では、建物の耐震性能を向上させることを目的とする耐震補強工事が既設の建物に対して施工されている。耐震補強工事には種々の方法が提案されている。その中の一つとしては、建物の外部に建物と別個に耐震補強部材を設け、この耐震補強部材を建物の柱や横梁などの強度を有する構造部材と連結して固定することにより建物の剛性を向上させる外部補強構法がある。この構法は、補強工事中に建物の使用が可能であることや、補強工事後に建物の内部空間に影響を与えないことから、建物の利用者にとって利便性が高いものである（例えば、特許文献１参照）。
【０００３】
【特許文献１】特開平１０−１５２９９８号公報
【発明の開示】
【発明が解決しようとする課題】
【０００４】
しかしながら、上述の外部補強構法を用いた耐震補強構造では、耐震補強部材を建物の外側に設けているので、建物の外側から見て耐震補強部材が人目に付いてしまう。そのため、建物の外観を損なうおそれがあった。
【０００５】
本発明は、上記実情に鑑みて、建物の外側から見て耐震補強部材が目立つことなく、建物の外観を損なうことのない建物の耐震補強構造を提供することを目的とする。
【課題を解決するための手段】
【０００６】
上記の目的を達成するために、本発明の請求項１に係る建物の耐震補強構造は、建物の外側に設けられ、前記建物の強度を確保する前記建物の構造部材と連結されることにより前記建物を補強する耐震補強部材と、前記耐震補強部材に配設され、植物が誘引または植栽される緑化用補助資材とを備えたことを特徴とする。
【発明の効果】
【０００７】
本発明に係る建物の耐震補強構造では、建物の外側に設けられ、前記建物の強度を確保する前記建物の構造部材と連結されることにより前記建物を補強する耐震補強部材と、前記耐震補強部材に配設され、植物が誘引または植栽される緑化用補助資材とを備えたことにより、前記緑化用補助資材に植物を誘引または植栽し、前記建物を外側から見て前記耐震補強部材が前記植物によって目立たなくすることができる。従って、建物の外観が損なわれることがない。
【発明を実施するための最良の形態】
【０００８】
以下に添付図面を参照して、本発明に係る建物の耐震補強構造の好適な実施例１および２を詳細に説明する。
【実施例１】
【０００９】
図１〜図３は、本発明の実施例１に係る建物の耐震補強構造を示す概要図である。建物１は地盤Ｇ上に建てられており、この建物１には、図２に示すように、建物１の左右方向に延びる外壁１ａ，１ｂと、外壁１ａ，１ｂの上側に外壁１ａ側から外壁１ｂ側に向かって上り傾斜に形成された屋根１ｃとが設けられている。建物１の内部には、外壁１ａの近傍に位置し、外壁１ａの壁面に沿って上下方向に延びる構造部材３０が設けられている。この構造部材３０は、建物の耐震性の強度を確保するための柱や梁などであり、本実施例１の構造部材３０は、建物１の柱である。
【００１０】
外壁１ａの外側には、図２に示すように、壁面１ａと間隔を空けて耐震補強部材２が設けられている。この耐震補強部材２は、図１に示すように、外壁１ａの左右方向に沿って間隔を空けて配置された４本の補強鉄骨３と、これらの補強鉄骨３を繋ぐ複数の補強ブレース４とで構成されている。補強鉄骨３は、地盤Ｇ上に立設され、図２に示すように、地盤Ｇから外壁１ａの壁面に沿って外壁１ａの上端部１ｄの近傍まで上下方向に延びる建物補強部３ａと、上端部１ｄの近傍から屋根１ｃの上り傾斜に沿って外壁１ｂの上端部１ｅの近傍まで建物補強部３ａを延長した延長支持部３ｂとで形成されている。また、補強鉄骨３は、長手方向と直角な面で切断した断面が略四角形状になっており、図２に示すように、外壁１ａと対向する側に面３ｃを有し、面３ｃの反対側に面３ｄを有している。
【００１１】
補強ブレース４は、水平方向に対して斜めに向けて配置され、隣り合う補強鉄骨３の間で交差する態様で補強鉄骨３に取り付けられている。
【００１２】
例えば、上述の建物補強部３ａと構造部材３０との間には、図２に示すように、上下方向に延びる添柱３１が配設されている。建物補強部３ａおよび添柱３１は、複数の締結具（ボルトおよびナット）３１によって固定されている。同様に、添柱３１および構造部材３０についても複数の締結具３１によって固定されており、この添柱３１を介して建物補強部３ａと構造部材３０とが連結されることにより、耐震補強部材２が建物１を補強する構造となっている。なお、上述の耐震補強部材２を用いた補強構造は１つの例示であり、耐震補強部材２が用いられる補強構造であれば、周知の構造を適用することができる。
【００１３】
補強鉄骨３の建物補強部３ａおよび延長支持部３ｂには、図１に示すように、４本の補強鉄骨３に亘って６本の緑化用支持部材５が取り付けられている。緑化用支持部材５は、棒状部材またはワイヤーなどの長尺の部材で形成されており、面３ｄに配置され、上下方向に間隔を空けてそれぞれ水平に取り付けられている。また、緑化用支持部材５の面３ｄと反対側の面には、後述する緑化用補助資材および緑化パレットを取り付けるためのねじ孔が設けられている。
【００１４】
建物補強部３ａに取り付けられた３本の緑化用支持部材５には、図３に示すように、７個の壁面緑化用補助資材６が取り付けられている。壁面緑化用補助資材６は、四角い平板形状に形成されており、四角形の上下方向の一辺の長さが建物補強部３ａの上下方向の長さと略一致し、四角形の左右方向の一辺の長さが耐震補強部材２の左右方向の長さを７等分したうちの１つの長さと略一致している。この壁面緑化用補助資材６の大きさは、取り付け易さを考慮して、小さく分割することもできる。壁面緑化用補助資材６は、表面と裏面とを有し、裏面側が緑化用支持部材５の外壁１ａと対向して配置され、緑化用支持部材５のねじ孔と図示しないボルトおよびナットによって取り付けられている。壁面緑化用補助資材６の表面側には、網状部材６ａが設けられている。この網状部材６ａには、地面または地面に置かれたプランターで植栽された蔓科の植物の蔓が自生で巻き付くようになっている。また、図示しない腐食性の針金やテープで蔓を固定することもできる。なお、図３において、建物１の壁面１ａの右上部分は、誘引した蔓植物を省略して記載している。
【００１５】
延長支持部３ｂに取り付けられた３本の緑化用支持部材５には、図３に示すように、建物１の屋根１ｃを緑化するための緑化パレット７が取り付けられている。緑化パレット７は、表面と裏面とを有し、壁面緑化用補助資材６と同様に四角い平板形状に形成され、裏面側が緑化用支持部材５に図示しないボルトおよびナットによって取り付けられている。緑化パレット７の表面側には、例えば、椰子繊維を固めたマット、プラスチックトレイに土壌を入れたもの、土壌を固めた固化培土などが設けられ、この表面側に芝草またはコケなどの植物を植栽することができるようになっている。
【００１６】
本発明の実施例１に係る建物の耐震補強構造では、建物１の外壁１ａの外側に設けられ、建物１の強度を確保する建物の構造部材３０と連結されることにより建物１を補強する耐震補強部材２と、耐震補強部材２に配設され、植物が誘引または植栽される緑化用補助資材６とを備えたことにより、緑化用補助資材６に植物を誘引または植栽し、耐震補強部材２を植物で覆い、耐震補強部材２が目立たなくすることができる。従って、建物１の外壁１ａの外観が損なわれることがない。
【００１７】
また、補強鉄骨３が建物１の屋根１ｃの上方まで延在する延長支持部３ｂを有し、延長支持部３ｂに緑化用補助資材７を配設したことにより、建物１の外壁１ａの他にさらに屋根１ｃについても緑化することができる。これにより、樹林が少なくなったことによって都市の中心部の気温が郊外に比べて高くなるヒートアイランド現象の問題を緩和させる一助とすることができる。また、緑化によって建物１の内部温度を下げることができるので、空調設備の負荷を低減させ、空調に必要なコストを抑えることができる。
【００１８】
さらに、耐震補強部材２を耐震補強に使用すると共に、壁面緑化用補助資材６および緑化パレット７を取り付けるフレームとして機能させているので、壁面緑化用補助資材６および緑化パレット７を取り付けるための他のフレームを設ける必要がなく、工事に必要なトータルコストを低減することができる。また、壁面緑化用補助資材６および緑化パレット７の取り付け荷重を耐震補強部材２で支持しているので、建物１の外壁１ａに取り付けによる過負荷を生じさせない。従って、外壁１ａの耐荷重に制限されずに外壁１ａの緑化を十分に行なうことができる。
【００１９】
なお、本発明の実施例１で説明した建物の耐震補強構造では、耐震補強部材２が４本の補強鉄骨３を備えているが、補強鉄骨３が１本の場合であっても、補強鉄骨３の建物補強部３ａに壁面緑化用補助資材６を設けることができる。また４本以外の複数の補強鉄骨３を備えている場合であっても、補強鉄骨３にまたがって緑化用支持部材５を取り付け、この緑化用支持部材５および建物補強部３ａに壁面緑化用補助資材６を取り付けることができる。これにより、壁面緑化用補助資材６に植物を誘引し、建物１の外側から見て耐震補強鉄骨２が目立たないようにすることができる。
【００２０】
また、壁面緑化用補助資材６の表面側は、網状部材６ａの代わりに、蔓植物が付着するためのヤシマットで構成することができる。さらに、壁面緑化用補助資材６の表面側は、網状部材６ａおよびヤシマットの両方を設け、例えば、ヤシマットに蔓植物を付着させると共に、蔓植物の蔓が網状部材６ａに巻き付くようにすることもできる。これにより、壁面緑化用補助資材６を緑化することができる。
【００２１】
さらに、図１〜図３に示すように、外壁１ａに耐震補強構造を設けたものを説明したが、外壁１ｂおよび建物１の両側の壁面１ｆについても同様な構造を用いることができる。これにより、建物１に設けられた補強鉄骨を目立たなくすることができ、外部補強構法による耐震補強工事によって建物１の外観が損なわれないようにすることができる。
【実施例２】
【００２２】
図４〜図７は、本発明の実施例２に係る建物の耐震補強構造を示す概要図である。この実施例２では、実施例１で記載した建物１に対応する建築物が、図４および図５に示すように、高層棟１１Ｔと、高層棟１１Ｔに隣接する低層棟１１Ｌとで構成されており、低層棟１１Ｌの屋上（屋根）１１Ｌｃは、水平面と平行に形成されている。
【００２３】
高層棟１１Ｔおよび低層棟１１Ｌは地盤Ｇ上に立設しており、低層棟１１Ｌには、図５に示すように、高層棟１１Ｔと隣接する外壁の反対側に外壁１１Ｌａが設けられている。低層棟１１Ｌの内部には、外壁１１Ｌａの近傍に位置し、外壁１１Ｌａの外壁面に沿って上下方向に延びる構造部材４０が設けられている。を上下に向けて配置され、建物の耐震性の強度を確保するための構造部材４０が設けられている。構造部材４０は、建物の耐震性の強度を確保するための柱や梁などであり、本実施例２では柱として記載する。
【００２４】
外壁１１Ｌａの外側には、図５に示すように、壁面１ａと間隔を空けて耐震補強部材１２が設けられている。耐震補強部材１２は、図４に示すように、外壁１１Ｌａの長手方向に沿って間隔を空けて配置された４本の補強鉄骨１３と、これらの補強鉄骨１３を繋ぐ複数の補強ブレース１４とで構成されている。補強鉄骨１３は、地盤Ｇ上に立設されている。また、補強鉄骨１３は、長手方向と直角な面で切断した断面が略四角形状になっており、図５に示すように、外壁１１Ｌａと対向する側に面１３ｃを有し、面１３ｃの反対側に面１３ｄを有している。
【００２５】
補強ブレース１４は、水平方向に対して斜めに向けて配置され、隣り合う補強鉄骨１３の間で交差する態様で補強鉄骨１３に取り付けられている。低層棟１１Ｌの屋上１１Ｌｃの上方には４本の補強ワイヤー１８が屋上１１Ｌｃに沿って水平に設けられている。４本の補強ワイヤー１８は、一端が補強鉄骨１３の上端部にそれぞれ取り付けられ、他端が高層棟１１Ｔの外壁に設けられた補強鉄骨１９にそれぞれ取り付けられている。
【００２６】
例えば、補強鉄骨１３と構造部材４０との間には、図５に示すように、上下方向に延びる添柱４１が配設されている。補強鉄骨１３と添柱４１は、複数の締結具（ボルトおよびナット）４１によって固定されている。同様に、添柱４１と構造部材４０についても複数の締結具４１によって固定されており、この添柱４１を介して補強鉄骨１３と構造部材４０とが連結されることにより、耐震補強部材１２が低層棟１１Ｌを補強する構造となっている。なお、上述の耐震補強部材１２を用いた補強構造は１つの例示であり、耐震補強部材１２が用いられる補強構造であれば、周知の構造を適用することができる。
【００２７】
補強鉄骨１３および補強ワイヤー１８には、４本の補強鉄骨１３および４本の補強ワイヤー１８に亘って水平方向に延びるように緑化用支持部材１５が取り付けられている。緑化用支持部材１５は、棒状部材またはワイヤーなどの長尺の部材で形成されており、長手方向を水平に向けて面１３ｄ上に配置され、上下方向に間隔を空けて取り付けられている。また、緑化用支持部材１５の面１３ｄと反対側の面には、後述する緑化用補助資材を取り付けるためのねじ孔が設けられている。
【００２８】
補強鉄骨１３に取り付けられた緑化用支持部材１５には、図６に示すように、２個の壁面緑化用補助資材１６が取り付けられている。壁面緑化用補助資材１６は、四角い平板形状に形成されており、四角形の上下方向の一辺の長さが補強鉄骨１３の上下方向の長さと略一致し、四角形の左右方向の一辺の長さが隣り合う補強鉄骨１３の間隔と略一致している。この壁面緑化用補助資材１６の大きさは、取り付け易さを考慮して、小さく分割することもできる。壁面緑化用補助資材１６は、表面と裏面とを有し、裏面側が緑化用支持部材１５の外壁１１Ｌａと対向して配置され、緑化用支持部材５のねじ孔と図示しないボルトおよびナットによって取り付けられている。壁面緑化用補助資材１６の表面側には、網状部材が設けられている。この網状部材には、地面または地面に置かれたプランターで植栽された蔓科の植物の蔓が自生で巻き付くようになっている。また、図示しない腐食性の針金やテープで蔓を固定することもできる。
【００２９】
補強ワイヤー１８に取り付けられた３本の緑化用支持部材１５には、図７に示すように、低層棟１０Ｌの屋上１０Ｌｃを緑化するための緑化パレット１７が取り付けられている。緑化パレット１７は、表面と裏面とを有し、壁面緑化用補助資材６と同様に四角い平板形状に形成され、裏面側が緑化用支持部材１５に図示しないボルトおよびナットによって取り付けられている。緑化パレット１７の表面側には、例えば、椰子繊維を固めたマット、プラスチックトレイに土壌を入れたもの、土壌を固めた固化培土などが設けられ、この表面側に芝草またはコケなどの植物を植栽することができるようになっている。
【００３０】
本発明の実施例１に係る建物の耐震補強構造では、低層棟１１Ｌの外壁１１Ｌａの外側に設けられ、低層棟１１Ｌの強度を確保する低層棟１１Ｌの構造部材４０と連結されることにより低層棟１１Ｌを補強する耐震補強部材１２と、耐震補強部材１２に配設され、植物が誘引または植栽される緑化用補助資材１６とを備えたことにより、緑化用補助資材１６に植物を誘引または植栽し、耐震補強部材１２を植物で覆い、耐震補強部材１２が目立たなくすることができる。従って、低層棟１１Ｌの外壁１１Ｌａの外観が損なわれることがない。
【００３１】
また、耐震補強部材１２が低層棟１１Ｌの屋上１１ｃの上方まで延在する補強ワイヤー１８を備え、補強ワイヤー１８に緑化用補助資材７を配設したことにより、低層棟１１Ｌの外壁１１Ｌａの他にさらに屋上１１Ｌｃについても緑化することができる。これにより、樹林が少なくなったことによって都市の中心部の気温が郊外に比べて高くなるヒートアイランド現象の問題を緩和させる一助とすることができる。また、緑化によって低層棟１１Ｌの内部温度を下げることができるので、空調設備の負荷を低減させ、空調に必要なコストを抑えることができる。
【００３２】
さらに、耐震補強部材１２を耐震補強に使用すると共に、壁面緑化用補助資材１６および緑化パレット１７を取り付けるフレームとして機能させているので、壁面緑化用補助資材１６および緑化パレット１７を取り付けるための他のフレームを設ける必要がなく、工事に必要なトータルコストを低減することができる。また、壁面緑化用補助資材１６および緑化パレット１７の取り付け荷重を耐震補強部材１２で支持しているので、低層棟１１Ｌの外壁１１Ｌａに取り付けによる過負荷を生じさせない。従って、外壁１１Ｌａの耐荷重に制限されずに外壁１１Ｌａの緑化を十分に行なうことができる。
【００３３】
なお、本発明の実施例２で説明した建物の耐震補強構造では、耐震補強部材１２が４本の補強鉄骨１３を備えているが、補強鉄骨１３が１本の場合であっても、補強鉄骨３に壁面緑化用補助資材１６を設けることができる。また４本以外の複数の補強鉄骨１３を備えている場合であっても、補強鉄骨１３にまたがって緑化用支持部材１５を取り付け、この緑化用支持部材１５および補強鉄骨１３に壁面緑化用補助資材１６を取り付けることができる。これにより、壁面緑化用補助資材１６に植物を誘引し、低層棟１１Ｌａの外側から見て耐震補強鉄骨１２が目立たないようにすることができる。
【００３４】
また、壁面緑化用補助資材１６の表面側は、網状部材の代わりに、蔓植物を付着させるためのヤシマットで構成することができる。さらに、壁面緑化用補助資材１６の表面側は、網状部材およびヤシマットの両方を設け、例えば、ヤシマットに蔓植物を付着させると共に、蔓植物の蔓が網状部材６ａに巻き付くようにすることもできる。これにより、壁面緑化用補助資材６を緑化することができる。
【産業上の利用可能性】
【００３５】
以上のように、本発明に係る建物の耐震補強構造は、外部補強構法を用いた耐震補強工事に有用である。
【図面の簡単な説明】
【００３６】
【図１】本発明の実施例１に係る建物の耐震補強構造に使用される耐震補強部材の補強鉄骨に緑化用支持部材を取り付けた状態を示す正面図である。
【図２】図１示す耐震補強部材の側面図である。
【図３】本発明の実施例１に係る建物の耐震補強構造の緑化用支持部材に緑化用補助資材を取り付けた状態を示す正面図である。
【図４】本発明の実施例２に係る建物の耐震補強構造に使用される耐震補強部材の補強鉄骨に緑化用支持部材を取り付けた状態を示す正面図である。
【図５】図４示す耐震補強部材の補強鉄骨の側面図である。
【図６】本発明の実施例２に係る建物の耐震補強構造の緑化用支持部材に緑化用補助資材を取り付けた状態を示す正面図である。
【図７】図６の上面図である。
【符号の説明】
【００３７】
１    建物
１ａ，１ｂ    外壁
１ｃ    屋根
１ｄ    外壁１ａの上端部
１ｅ    外壁１ｂの上端部
１ｆ    外壁
２    耐震補強部材
３    補強鉄骨
３ａ    建物補強部
３ｂ    延長支持部
３ｃ    建物１と対向する面
３ｄ    面３ｃの反対側の面
４    補強ブレース
５    緑化用支持部材
６    壁面緑化用補助資材（緑化用補助資材）
６ａ    網状部材
７    緑化パレット（緑化用補助資材）
１１Ｔ    高層棟
１１Ｌ    低層棟
１１Ｌａ    外壁
１１Ｌｃ    屋上
１２    耐震補強部材
１３    補強鉄骨
１３ｃ    低層棟１１Ｌと対向する面
１３ｄ    面１３ｃの反対側の面
１４    補強ブレース
１５    緑化用支持部材
１６    壁面緑化用補助資材（緑化用補助資材）
１７    緑化パレット（緑化用補助資材）
１８    補強ワイヤー
１９    補強鉄骨
３０    構造部材
３１    添柱
３２    締結具
４０    構造部材
４１    添柱
４２    締結具
Ｇ    地盤
【図１】
2006299672.tif 000003
【図２】
2006299672.tif 000004
【図３】
2006299672.tif 000005
【図４】
2006299672.tif 000006
【図５】
2006299672.tif 000007
【図６】
2006299672.tif 000008
【図７】
2006299672.tif 000009